【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
シート収納部を有し、印刷ジョブで指定された前記シート収納部から送られてきたシートに画像を印刷する印刷装置であって、
前記シート収納部に収納されるシートのサイズを記憶する記憶手段と、
ユーザーによって指定された設定情報を設定する設定手段と、
前記設定された設定情報が第１の設定情報である場合に、前記印刷ジョブで指定されたシートのサイズが前記記憶手段に記憶されたシートのサイズに一致しないとしても、シートサイズに関する所定の通知を行わないが、
前記設定された設定情報が第２の設定情報である場合に、前記印刷ジョブで指定されたシートのサイズが前記記憶手段に記憶されたシートのサイズに一致しないことにしたがって前記所定の通知を行うようにする制御手段と、
を有することを特徴とする印刷装置。
【請求項２】
前記制御手段は、前記設定された設定情報が前記第１の設定情報である場合に、前記所定の通知を行わずに、前記印刷ジョブの画像が、前記シート収納部からのシートに印刷されるようにすることを特徴とする請求項１に記載の印刷装置。
【請求項３】
前記制御手段は、前記設定された設定情報が前記第２の設定情報である場合に、前記所定の通知を行った後のユーザーからの指示にしたがって、前記印刷ジョブの画像が、前記シート収納部からのシートに印刷されるようにすることを特徴とする請求項１または２に記載の印刷装置。
【請求項４】
前記印刷装置は、前記印刷ジョブを作成した情報処理装置と通信可能であり、
前記印刷ジョブで指定された前記シート収納部は、前記情報処理装置のプリンタードライバーにおいて指定されたものであることを特徴とする請求項１乃至３の何れか１項に記載の印刷装置。
【請求項５】
シート収納部に収納されるシートのサイズを記憶する記憶手段と、
前記シート収納部から送られたシートに画像を印刷する印刷手段と、
印刷ジョブで指定されたシートのサイズが前記記憶手段に記憶されたシートのサイズに一致する場合、前記印刷手段による印刷を実行し、前記印刷ジョブで指定されたシートのサイズが前記記憶手段に記憶されたシートのサイズに一致しない場合、前記印刷手段による印刷を停止する第１の印刷モード、及び、前記記憶手段に記憶されたシートのサイズに関わらず前記印刷手段による印刷を実行する第２の印刷モードのいずれか一方を、前記シート収納部に対応づけて設定する設定手段と、
前記設定手段によって前記第１の印刷モードが設定され、前記印刷ジョブで指定されたシートのサイズが前記記憶手段に記憶されたシートのサイズに一致する場合、前記印刷手段による印刷を実行し、前記設定手段によって前記第１の印刷モードが設定され、前記印刷ジョブで指定されたシートのサイズが前記記憶手段に記憶されたシートのサイズに一致しない場合、前記印刷手段による印刷を停止するよう制御し、
前記設定手段によって前記第２の印刷モードが設定された場合、前記記憶手段に記憶されたシートのサイズに関わらず前記印刷手段による印刷を実行するよう制御する制御手段と、
を有することを特徴とする印刷装置。
【請求項６】
前記制御手段は、前記設定手段によって前記第１の印刷モードが設定され、前記印刷ジョブで指定されたシートのサイズが前記記憶手段に記憶されたシートのサイズに一致しない場合、所定の通知を行うようにすることを特徴とする請求項５に記載の印刷装置。
【請求項７】
前記制御手段は、前記設定手段によって前記第１の印刷モードが設定され、前記印刷ジョブで指定されたシートのサイズが前記記憶手段に記憶されたシートのサイズに一致しない場合、前記所定の通知が行われた後、前記印刷手段による印刷を実行させるための指示をユーザーから受け付けたことに従って前記印刷手段による印刷を実行するようにすることを特徴とする請求項５に記載の印刷装置。
【請求項８】
前記印刷ジョブで指定されたシートのサイズが前記記憶手段に記憶されたシートのサイズに一致するか否かを判定する判定手段を更に有し、
前記制御手段は、前記設定手段によって前記第１の印刷モードが設定され、前記判定手段によって一致すると判定された場合、前記印刷手段による印刷を実行し、前記設定手段によって前記第１の印刷モードが設定され、前記判定手段によって一致しないと判定された場合、前記印刷手段による印刷を停止するよう制御し、
前記設定手段によって前記第２の印刷モードが設定された場合、前記判定手段によって判定することなく前記印刷手段による印刷を実行するよう制御することを特徴とする請求項５乃至７の何れか１項に記載の印刷装置。
【請求項９】
複数のシート収納部を有し、
前記設定手段は、前記第１の印刷モード、又は前記第２の印刷モードのいずれか一方を、前記複数のシート収納部のそれぞれに対応づけて設定することを特徴とする請求項５乃至８の何れか１項に記載の印刷装置。
【請求項１０】
前記設定手段は、前記第１の印刷モード、又は前記第２の印刷モードのいずれかを一方を、前記印刷手段による印刷を実行する前に設定することを特徴とする請求項５乃至９の何れか１項に記載の印刷装置。
【請求項１１】
シート収納部を有し、印刷ジョブで指定された前記シート収納部から送られてきたシートに画像を印刷する印刷装置を制御する制御方法であって、
前記シート収納部に収納されるシートのサイズを記憶する記憶工程と、
ユーザーによって指定された設定情報を設定する設定工程と、
前記設定された設定情報が第１の設定情報である場合に、前記印刷ジョブで指定されたシートのサイズが前記記憶工程で記憶されたシートのサイズに一致しないとしても、シートサイズに関する所定の通知を行わないが、
前記設定された設定情報が第２の設定情報である場合に、前記印刷ジョブで指定されたシートのサイズが前記記憶工程で記憶されたシートのサイズに一致しないことにしたがって前記所定の通知を行うようにする制御工程と、
を有することを特徴とする印刷装置の制御方法。
【請求項１２】
シート収納部を有し、当該シート収納部から送られたシートに画像を印刷する印刷装置の制御方法であって、
前記シート収納部に収納されるシートのサイズを記憶する記憶工程と、
印刷ジョブで指定されたシートのサイズが前記記憶工程で記憶されたシートのサイズに一致する場合、前記印刷を実行し、前記印刷ジョブで指定されたシートのサイズが前記記憶工程で記憶されたシートのサイズに一致しない場合、前記印刷を停止する第１の印刷モード、及び、前記記憶工程で記憶されたシートのサイズに関わらず前記印刷を実行する第２の印刷モードのいずれか一方を、前記シート収納部に対応づけて設定する設定工程と、
前記設定工程で前記第１の印刷モードが設定され、前記印刷ジョブで指定されたシートのサイズが前記記憶工程で記憶されたシートのサイズに一致する場合、前記印刷を実行し、前記設定工程で前記第１の印刷モードが設定され、前記印刷ジョブで指定されたシートのサイズが前記記憶工程で記憶されたシートのサイズに一致しない場合、前記印刷を停止するよう制御し、
前記設定工程で前記第２の印刷モードが設定された場合、前記記憶工程で記憶されたシートのサイズに関わらず前記印刷を実行するよう制御する制御工程と、
を有することを特徴とする印刷装置の制御方法。
【手続補正２】
【補正対象書類名】明細書
【補正対象項目名】発明の名称
【補正方法】変更
【補正の内容】
【発明の名称】印刷装置、印刷装置の制御方法
【手続補正３】
【補正対象書類名】明細書
【補正対象項目名】０００８
【補正方法】変更
【補正の内容】
【０００８】
本発明に係る印刷装置は、シート収納部を有し、印刷ジョブで指定された前記シート収納部から送られてきたシートに画像を印刷する印刷装置であって、前記シート収納部に収納されるシートのサイズを記憶する記憶手段と、ユーザーによって指定された設定情報を設定する設定手段と、前記設定された設定情報が第１の設定情報である場合に、前記印刷ジョブで指定されたシートのサイズが前記記憶手段に記憶されたシートのサイズに一致しないとしても、シートサイズに関する所定の通知を行わないが、前記設定された設定情報が第２の設定情報である場合に、前記印刷ジョブで指定されたシートのサイズが前記記憶手段に記憶されたシートのサイズに一致しないことにしたがって前記所定の通知を行うようにする制御手段と、を有することを特徴とする。